(57)【要約】【課題】二酸化炭素を排出することなく炭素循環させる炭素循環型水素製造システム及びその利用方法を提供する。【解決手段】炭素循環型水素製造システム１は、酸素含有炭化水素を合成する燃料製造装置２と、酸素含有炭化水素と水を混合し水蒸気改質に適した温度まで昇温する燃料供給装置３と、酸素含有炭化水素から水素とＣＯ２を含む改質ガスを製造する燃料改質装置４と、改質ガスから水素とＣＯ２をそれぞれその他の不純物から分離回収するＣＯ２分離回収装置５と、分離した水素を貯蔵する水素貯蔵装置６とを備える。【選択図】図１
2011020863.tif 000002
【特許請求の範囲】
【請求項１】
バイオマスまたは分離回収されたＣＯ２を原料にして酸素含有炭化水素を合成する燃料製造装置と、
前記酸素含有炭化水素と水を混合し水蒸気改質に適した温度まで昇温する燃料供給装置と、
水蒸気改質触媒を充填し前記酸素含有炭化水素から水素とＣＯ２を含む改質ガスを製造する燃料改質装置と、
前記改質ガスから水素とＣＯ２をそれぞれその他の不純物から分離回収するＣＯ２分離回収装置と、
分離した水素を貯蔵する水素貯蔵装置と、
を備えることを特徴とする炭素循環型水素製造システム。
【請求項２】
前記ＣＯ２分離回収装置に回収されたＣＯ２を利用できる形態に固定するＣＯ２固定・利用装置を備えたことを特徴とする請求項１記載の炭素循環型水素製造システム。
【請求項３】
バイオマスまたは分離回収されたＣＯ２を原料にして酸素含有炭化水素を合成する燃料製造装置から、水蒸気改質触媒を充填し前記酸素含有炭化水素から水素とＣＯ２を含む改質ガスを製造する燃料改質装置へ、前記酸素含有炭化水素を供給し、
前記燃料改質装置から排出される前記改質ガスをＣＯ２分離回収装置へ供給して水素とＣＯ２とに分離し、
分離された水素とＣＯ２をそれぞれ水素貯蔵装置、ＣＯ２固定・利用装置に供給し、
前記ＣＯ２固定・利用装置からＣＯ２固定化物を前記燃料製造装置へ供給することを特徴とする炭素循環型水素製造システムの利用方法。
【請求項４】
前記燃料改質装置で製造した前記改質ガス及び前記水素貯蔵装置で貯蔵した水素を電力や動力や熱を生産するために使用することを特徴とする請求項３記載の炭素循環型水素製造システムの利用方法。
【請求項５】
前記燃料改質装置において必要な反応熱として、熱源装置の排熱、改質ガス利用装置の排熱、及び水素利用装置の排熱のうちの少なくとも１つを利用することを特徴とする請求項３記載の炭素循環型水素製造システムの利用方法。
【請求項６】
前記バイオマスまたは分離回収されたＣＯ２を原料にＤＭＥを合成する際に必要となるエネルギー及びＣＯ２の固定・利用に必要なエネルギーとして、自然エネルギーを利用することを特徴とする請求項３記載の炭素循環型水素製造システムの利用方法。
【発明の詳細な説明】
【技術分野】
【０００１】
本発明は、ジメチルエーテル（ＤＭＥ）の水蒸気改質により水素を製造する際に、二酸化炭素を排出することなく炭素循環させる炭素循環型水素製造システム及びその利用方法に関する。
【背景技術】
【０００２】
従来、水素は、天然ガスや液化石油ガスなどを原料として水蒸気改質法により製造されている。この方法では、熱源として化石燃料の燃焼熱を利用しているため、水素製造の際は、水蒸気改質法による燃料改質に伴って発生する生成二酸化炭素の他に、熱源での化石燃料燃焼によっても二酸化炭素が発生する。また、この熱源に化石燃料の燃焼熱を利用するため、二酸化炭素の他に、硫黄酸化物といった大気汚染物質が同時に生成してしまう。更に、水素製造に際して７００℃以上の高温が必要となる。
【０００３】
これに対して、ジメチルエーテル（ＤＭＥ）の水蒸気改質により水素を製造する方法は、ＤＭＥが合成燃料であることから天然ガスや液化石油ガスなどに比べ硫黄などの不純物が少なく、また４００℃以下の温度で水素生成が可能であるため、従来の天然ガス等を用いる方法と比べて低い温度で水素を製造できる可能性がある（例えば、非特許文献１参照）。
【０００４】
外部の熱源をＤＭＥの水蒸気改質熱に利用する場合、上記の低温で水素を生成し得るＤＭＥの特性を利用して、これまでに使われていなかった余熱や捨てられていた廃熱を熱源として用い、これらの余熱や廃熱を水素として回収することが考えられる。特許文献１には、外部の熱源をＤＭＥの水蒸気改質熱に利用し、得られた改質ガスを原動機燃料として発電する方法が開示されている。また、特許文献２には、原子力発電システムの熱を利用してＤＭＥの水蒸気改質を行う方法が記載されている。
【０００５】
このようにＤＭＥを利用すると、これまでに使われていなかった余熱や捨てられていた廃熱を熱源として用いてＤＭＥの水蒸気改質反応を起こすことで、これらの余熱や廃熱を水素として回収することが可能である。そのため、水蒸気改質反応のための熱源のために専用で化石燃料燃焼を用いる必要がなく、この化石燃料を起源とする二酸化炭素が生成することなく水素製造ができるという利点がある。
【０００６】
しかしながら、ＤＭＥの水蒸気改質反応では、次式のように、水素と同時に二酸化炭素が生成する。
【０００７】
ＣＨ３ＯＣＨ３  ＋  ３Ｈ２Ｏ  →  ６Ｈ２  ＋  ２ＣＯ２
このため、上記特許文献１、２記載の方法では、地球温暖化ガスである二酸化炭素が外部に排出されてしまう。
【０００８】
ＤＭＥの水蒸気改質反応において水素と同時に生成する二酸化炭素の排出量を低減するための手段として、特許文献３記載の方法がある。
【０００９】
この方法では、ＤＭＥの水蒸気改質反応で水素と同時に生成する二酸化炭素を分離、回収して、石炭層に注入し、石炭層からの炭層ガスとしてメタンを得て、メタンを原料にＤＭＥを生産する方法が例示されている。
【００１０】
また、回収した二酸化炭素を燃料化するための手段として、特許文献４には、二酸化炭素を固定化し、付加価値の高い生成物を得るシステムが開示されている。このシステムでは、原子力発電プラントに併設された水電解装置より、水を電気分解して水素と酸素を生成し、この生成した水素と二酸化炭素から第１反応炉において、メタン及び水蒸気を含む混合ガスを生成し、この混合ガスを凝縮器で凝縮した後メタンガスと水とに分離し、メタンガスを第２の反応炉でカーボンと水素に熱分解してグラファイト等の炭素製品を製造している。
【先行技術文献】
【特許文献】
【００１１】
【特許文献１】特開平１１−１０６７７０号公報
【特許文献２】特開２００３−１６５７０４号公報
【特許文献３】特開２００５−３３０１７０号公報
【特許文献４】特開２００５−６０１３７号公報
【非特許文献】
【００１２】
【非特許文献１】Fukushimaら（15th World hydrogen Energy Conference 30D-03(2004)）
【発明の概要】
【発明が解決しようとする課題】
【００１３】
しかしながら、特許文献３記載の方法では、ＤＭＥ生産地が場所的に炭層に隣接していなければならない。
【００１４】
また、特許文献４記載のシステムでは、二酸化炭素を原料にメタンを経由してグラファイト等の炭素製品を製造するが、回収した二酸化炭素を使用してメタンを製造すると仮定すると、メタンから水素を製造するためには７００℃以上の高温が必要であるため、この熱源として化石燃料の燃焼熱が必要となる。従って、回収した二酸化炭素以上の二酸化炭素が生成されるため、収支が合わなくなってしまう。
【００１５】
従って、本発明は、上記の課題を解決するためになされたものであり、二酸化炭素を排出することなく炭素循環させる炭素循環型水素製造システム及びその利用方法を提供することを目的とする。
【課題を解決するための手段】
【００１６】
上述の目的を達成するため、本発明の炭素循環型水素製造システムは、バイオマスまたは分離回収されたＣＯ２を原料にして酸素含有炭化水素を合成する燃料製造装置と、前記酸素含有炭化水素と水を混合し水蒸気改質に適した温度まで昇温する燃料供給装置と、水蒸気改質触媒を充填し前記酸素含有炭化水素から水素とＣＯ２を含む改質ガスを製造する燃料改質装置と、前記改質ガスから水素とＣＯ２をそれぞれその他の不純物から分離回収するＣＯ２分離回収装置と、分離した水素を貯蔵する水素貯蔵装置と、を備えることを特徴とする。
【００１７】
また、本発明の炭素循環型水素製造システムの利用方法は、バイオマスまたは分離回収されたＣＯ２を原料にして酸素含有炭化水素を合成する燃料製造装置から、水蒸気改質触媒を充填し前記酸素含有炭化水素から水素とＣＯ２を含む改質ガスを製造する燃料改質装置へ、前記酸素含有炭化水素を供給し、前記燃料改質装置から排出される前記改質ガスをＣＯ２分離回収装置へ供給して水素とＣＯ２とに分離し、分離された水素とＣＯ２をそれぞれ水素貯蔵装置、ＣＯ２固定・利用装置に供給し、前記ＣＯ２固定・利用装置からＣＯ２固定化物を前記燃料製造装置へ供給することを特徴とする。
【発明の効果】
【００１８】
本発明によれば、二酸化炭素を排出することなく炭素循環させる炭素循環型水素製造システム及びその利用方法を提供することができる。
【図面の簡単な説明】
【００１９】
【図１】本発明に係る炭素循環型水素製造システムの一実施の形態を示すブロック図。
【図２】図１の燃料改質装置の一実施の形態を示すブロック図。
【図３】図１のＣＯ２分離回収装置の一実施の形態を示すブロック図。
【発明を実施するための形態】
【００２０】
以下、本発明に係る炭素循環型水素製造システムの一実施の形態について、図面を参照して説明する。
【００２１】
（炭素循環型水素製造システムの全体構成）
図１は、本発明に係る炭素循環型水素製造システムの一実施の形態を示すブロック図である。
【００２２】
炭素循環型水素製造システム１は、バイオマス１１または分離回収されたＣＯ２を原料にＤＭＥを合成する燃料製造装置２と、ＤＭＥ及び水１２を混合し水蒸気改質に適した温度まで昇温する燃料供給装置３と、水蒸気改質触媒を充填し、ＤＭＥから水素を多く含みＣＯ２を含有する改質ガスを製造する燃料改質装置４と、改質ガスから水素とＣＯ２をそれぞれ分離回収するＣＯ２分離回収装置５と、分離した水素を貯蔵する水素貯蔵装置６と、分離したＣＯ２を利用できる形態に固定するＣＯ２固定・利用装置７とを備えている。
【００２３】
この炭素循環型水素製造システム１では、燃料製造装置２から燃料供給装置３を経由して燃料改質装置４へ、ジメチルエーテル、メタノール、エタノール等の酸素含有炭化水素を供給し、燃料改質装置４で水蒸気改質反応によって生成する改質ガス(水素及び二酸化炭素)をＣＯ２分離回収装置５へ供給する。さらに、ＣＯ２分離回収装置５で分離された水素とＣＯ２をそれぞれ水素貯蔵装置６、ＣＯ２固定・利用装置７に供給し、ＣＯ２固定・利用装置７からＣＯ２固定化物を燃料製造装置２へ供給する。
【００２４】
また、燃料改質装置４で製造した水素とＣＯ２を含む改質ガスは、ガスタービンやガスエンジンや熱源装置といった改質ガス利用装置８により、電力や動力や熱を生産するために使用される。一方、燃料改質装置４で必要な水蒸気改質反応熱は、別の熱源装置１０からの排熱及び改質ガス利用装置８、水素利用装置９からの排熱を利用する。
【００２５】
更に、水素貯蔵装置６で貯蔵した水素は、燃料電池やガスエンジンやガスタービンや熱源装置といった水素利用装置９により、電力や動力や熱を生産するために使用される。
【００２６】
また、バイオマスから燃料製造やＣＯ２固定・利用装置７に必要なエネルギーとして、太陽光、太陽熱、風力、地熱などの自然エネルギー１３を利用することができる。更に、ＣＯ２固定・利用に植物や藻類の光合成を利用することができる。
【００２７】
次に、炭素循環型水素製造システム１における燃料改質装置４について、詳しく説明する。
【００２８】
（燃料改質装置４）
図２に、燃料改質装置４のブロック図を示す。
【００２９】
燃料改質装置４は、原料となる水１１１をガス状にするための水蒸気発生器１０５と、酸素含有炭化水素１１２をガス状にするための酸素含有炭化水素気化器１０６と、気化したガス状の酸素含有炭化水素及び水蒸気を混合する混合器１０７と、この混合ガス１１３を所定の改質器供給温度に予熱する混合ガス予熱器１０２と、改質触媒を充填した反応管を備えて改質ガス１１５を製造する改質反応器１０１と、改質ガス１１５から熱回収して原料の水１１１を予熱する水予熱器１０３と、原料の酸素含有炭化水素１１２を予熱する酸素含有炭化水素予熱器１０４とを備えている。
【００３０】
次に、この燃料改質装置４の作用について説明する。
【００３１】
ジメチルエーテル、メタノール、エタノール又はこれらの混合物等の酸素含有炭化水素１１２は、酸素含有炭化水素予熱器１０４、酸素含有炭化水素気化器１０６を経由して、また、水１１１は、水予熱器１０３、水蒸気発生器１０５を経由して各々ガス状になり、混合器１０７に供給される。混合器１０７を経た混合ガス１１３は、混合ガス予熱器１０２で所定の改質器供給温度に予熱される。予熱された混合ガス１１４は、改質反応器１０１に供給される。改質反応器１０１では、混合ガス１１４が改質反応器１０１の内部に充填された触媒層を通過する際、水蒸気改質反応により混合ガス１１４より水素を多く含みＣＯ２を含有する水素リッチな改質ガス１１５となる。例えば、酸素含有炭化水素１１２としてジメチルエーテルを用いた場合は、
ＣＨ３ＯＣＨ３  ＋  ３Ｈ２Ｏ  →  ６Ｈ２  ＋  ２ＣＯ２
の式によって、水素と二酸化炭素からなる水素リッチな改質ガス１１５が改質反応器１０１から流出する。改質ガス１１５は、水予熱器１０３、酸素含有炭化水素予熱器１０４でそれぞれ原料の水１１１、酸素含有炭化水素１１２と熱交換して、次工程へ改質ガス１１６として排出される。
【００３２】
また、図１に示す熱源装置１０、改質ガス利用装置８、または水素貯蔵装置６からの排熱を運ぶ熱媒１２１は、まず改質反応器１０１で水蒸気改質反応に必要な熱量を熱交換した後、混合ガス予熱器１０２でプロセスガスと熱交換し、その後、水蒸気発生器１０５で水と熱交換し、さらに酸素含有炭化水素気化器１０６で酸素含有炭化水素と熱交換し、それぞれの機器で必要な熱量を供給する。この酸素含有炭化水素気化器１０６で熱交換した熱媒１２２は元の熱源等に還流される。これにより、これまでに使われていなかった余熱や捨てられていた廃熱を熱源として用い、これらの余熱や廃熱を水素として回収することができる。
【００３３】
熱媒としては、（１）原子力発電所や火力発電所、廃棄物処理施設、加熱炉など産業の熱源装置１０で発生する排熱、（２）燃料改質装置４で製造した水素リッチな改質ガス１１５を利用して電力や動力や熱を生産するガスタービンやガスエンジンなどの改質ガス利用装置８の排熱、（３）水素貯蔵装置６で貯蔵した水素を利用して電力や動力や熱を生産するガスタービンやガスエンジンや燃料電池などの水素利用装置９の排熱を利用することができる。
【００３４】
次に、炭素循環型水素製造システム１におけるＣＯ２分離回収装置５について、更に詳しく説明する。
【００３５】
（ＣＯ２分離回収装置５）
図３に、ＣＯ２分離回収装置５のブロック図を示す。
【００３６】
ＣＯ２分離回収装置５は、活性炭やゼオライトが充填され、改質ガス１１６中の水素以外の成分を吸着除去する圧力・温度スイング吸着装置１３１と、ガス中のＣＯ２を選択的に透過するＣＯ２選択透過膜装置１３２と、真空ポンプ１３３とを備えている。
【００３７】
次に、ＣＯ２分離回収装置５の作用について説明する。
【００３８】
酸素含有炭化水素としてジメチルエーテル（ＤＭＥ）を用いると、改質ガス１１６には、水素の他に二酸化炭素、ＤＭＥ、メタン、一酸化炭素等が含まれている。この改質ガス１１６が、圧力・温度スイング吸着装置１３１に供給される。
【００３９】
圧力・温度スイング吸着装置１３１の内部には、二酸化炭素、ＤＭＥ、メタン、一酸化炭素等を吸着除去するのに適した活性炭やゼオライトが充填されている。これらの吸着剤により改質ガス１１６の中の水素以外の成分が、圧力スイング吸着若しくは温度スイング吸着又は圧力・温度スイング吸着によって吸着除去されて、圧力・温度スイング吸着装置１３１から精製水素１３４が得られる。圧力・温度スイング吸着装置１３１に充填された吸着剤が二酸化炭素、ＤＭＥ、メタン、一酸化炭素等を吸着容量近くまで吸着したら、吸着剤を再生する。
【００４０】
再生では、真空ポンプ１３３で、圧力・温度スイング吸着装置１３１内の吸着剤を減圧状態にして、さらに外部から吸着剤を加熱することで、吸着剤に吸着していた二酸化炭素、ＤＭＥ、メタン、一酸化炭素等を吸着剤から脱離する。吸着剤の加熱には外部の装置の排熱を用いることができ、排熱としては、（１）原子力発電所や火力発電所、廃棄物処理施設、加熱炉など産業の熱源装置１０で発生する排熱、（２）燃料改質装置４で製造した水素リッチな改質ガス１１５を利用して電力や動力や熱を生産するガスタービンやガスエンジンなどの改質ガス利用装置８の排熱、（３）水素貯蔵装置６で貯蔵した水素を利用して電力や動力や熱を生産するガスタービンやガスエンジンや燃料電池などの水素利用装置９の排熱を利用することができる。
【００４１】
吸着剤から脱離したガスは、ガス中のＣＯ２を選択的に透過するＣＯ２選択透過膜装置１３２に導入される。ＣＯ２選択透過膜装置１３２により、二酸化炭素１３５とそれ以外の排気１３６に分離される。
【００４２】
図３に示すＣＯ２分離回収装置５は２系統以上設置され、圧力・温度スイング吸着装置１３１に充填された吸着剤が二酸化炭素、ＤＭＥ、メタン、一酸化炭素等を吸着容量近くまで吸着したら、改質ガス１１６の導入を別の系統に切り替えて使用することができる。ＣＯ２選択透過膜装置１３２に装着されるＣＯ２選択透過膜としては、ポリイミド、酢酸セルロース、ポリスルホンなどの高分子膜、多孔質ガラス、アルミナなどの無機膜、ＣＯ２と選択的、可逆的に反応する物質（キャリア）を含浸、保持した多孔支持膜によりＣＯ２を選択的に輸送できる促進輸送膜のうちのいずれかを用いることができる。
【００４３】
更に、炭素循環型水素製造システム１における燃料製造装置２について説明する。
【００４４】
（燃料製造装置２）
「バイオ液体燃料／バイオマスからの気体燃料製造とそのエネルギー利用（NTS, 2007）」によれば、１０００℃弱前後の高温水蒸気による改質では、リグニンも含めてセルロース、ヘミセルロースからＨ２やＣＯの合成ガスを製造することが可能である。反応は吸熱反応である。本方法を用いてバイオマスから合成ガスを製造し、ジメチルエーテル、メタノールなどの酸素含有炭化水素を合成することができる。また、反応に必要なエネルギーは、太陽光、太陽熱、風力、地熱などの自然エネルギー１３を利用することで、ＣＯ２を排出することなく酸素含有炭化水素を合成することができる。また、温度範囲が他の熱源装置からの排熱と合致する場合には、他の熱源装置からの排熱も利用できる。
【００４５】
（炭素循環型水素製造システムの効果）
（１）本実施の形態の炭素循環型水素製造システム１によれば、システム内で炭素循環させることにより、二酸化炭素を外部に排出することなく、ＣＯ２ゼロエミッションを実現できる。
【００４６】
（２）ＤＭＥをバイオマスから合成することにより、太陽光、太陽熱、風力、地熱などの自然エネルギーを利用して、ＣＯ２を排出することなく酸素含有炭化水素を合成することができる。
【００４７】
（３）燃料改質装置４では、ＤＭＥの水蒸気改質によって低温で水素を製造するので、その熱源として、従来使用されなかった熱源装置１０や改質ガス利用装置９、水素利用装置１０からの排熱を利用することができる。
【００４８】
（４）燃料改質装置４から得られる改質ガスを、改質ガス利用装置８により電力や動力や熱を生産するために使用することができる。
【００４９】
（５）水素貯蔵装置６から得られる水素を、水素ガス利用装置９により、電力や動力や熱の生産に使用できる。
【符号の説明】
【００５０】
１：炭素循環型水素製造システム、２：燃料製造装置、３：燃料供給装置、４：燃料改質装置、５：ＣＯ２分離回収装置、６：水素貯蔵装置、７：ＣＯ２固定・利用装置、８：改質ガス利用装置、９：水素利用装置、１０：熱源装置、１１：バイオマス、１２：水、１３：自然エネルギー、１０１：改質反応器、１０２：混合ガス予熱器、１０３：水予熱器、１０４：酸素含有炭化水素予熱器、１０５：水蒸気発生器、１０６：酸素含有炭化水素気化器、１０７：混合器、１１１：水、１１２：酸素含有炭化水素、１１３：混合ガス、１１４：混合ガス、１１５：改質ガス、１１６：改質ガス、１２１：熱媒、１２２：熱媒、１３１：圧力・温度スイング吸着装置、１３２：ＣＯ２選択透過膜装置、１３３：真空ポンプ、１３４：精製水素、１３５：二酸化炭素、１３６：排気
【図１】
2011020863.tif 000003
【図２】
2011020863.tif 000004
【図３】
2011020863.tif 000005